(57)【特許請求の範囲】
【請求項１】
建築物壁体の開口部を形成する周囲の躯体に、前記開口部内に納めた建具用枠体を固定するための建具用枠体の取付金具であって、前記躯体の前面に重ねる基板に、長孔と釘孔及び前記長孔の長さ方向に沿った一方端部側の位置にねじ締め付け工具を挿通するための開口部を形成し、前記基板の一方端部に、基板から連なって該基板の背面方向に折れ曲がり、前記躯体と建具用枠体間の隙間に対して挿入する仮止め用の差込部を設け、この差込部が、折れ曲がり角度の変化による拡張弾性で前記隙間に対する差込状態を弾力的に保持し、仮止め用釘を打ち込む前に、前記取付金具を仮止め状態にするための弾性仮止め板と、前記開口部から建具用枠体に向けてねじ込むねじのねじ孔を備えている建具用枠体の取付金具。
【請求項２】
上記差込部は、基板の一方端部から背面方向へ折れ曲がるように設けた折り曲げ片を具有し、上記弾性仮止め板は、前記折り曲げ片に設けた延長突部の先端部から連なって該延長突部の両側に位置し、その先端が延長突部から離反して基板の側へ接近する傾斜状となるように、基板と延長突部の内角側に向けて屈曲している請求項１に記載の建具用枠体の取付金具。
【請求項３】
上記弾性仮止め板の先端に、延長突部側に向けて屈曲する爪片が設けられている請求項２に記載の建具用枠体の取付金具。
【請求項４】
上記ねじ孔は、折り曲げ片と延長突部の根本側に跨って形成され、このねじ孔の周辺部で基板と反対側の位置に、前記ねじ孔から建具用枠体に向けて斜めにねじ込むねじの誘導片を傾斜状に設けた請求項２又は３に記載の建具用枠体の取付金具。
【発明の詳細な説明】
【技術分野】
【０００１】
この発明は、建築物壁体の開口部を形成する周囲の躯体に、前記開口部内に納めた窓用化粧枠等の建具用枠体を固定するために用いる建具用枠体の取付金具に関する。
【背景技術】
【０００２】
例えば、建築物壁体の開口部に対する窓の取付構造は、建築物壁体の開口部に窓用化粧枠を納め、前記開口部を形成する柱やまぐさ及び窓台に対して窓用化粧枠の複数箇所を取付金具によって固定し、この窓用化粧枠内に窓を組み込むようになっている。
【０００３】
従来の上記取付金具は、特許文献１と２に示されるように、建築物壁体の開口部を形成する躯体の前面に重ねる基板に、長孔と釘孔及び前記長孔の長さ方向に沿った一方端部側の位置にねじ締め付け工具を挿通するための開口部を形成し、前記基板の一方端部に、躯体と建具用枠体の間に形成された隙間に対して挿入する差込部を設け、この差込部が、前記基板の端部から背面側の後方に向けて折り返し状に折れ曲がり、途中から前方へ屈曲する前板部と、前記前板部の先端縁に延長状に突設した突出舌片と、前記前板部と突出舌片にわたって前記開口部の部分から建具用枠体に向けてねじ込むねじのねじ孔とで形成されている構造になっている。
【０００４】
上記取付金具を用いて建築物壁体の開口部に建具用枠体を固定するには、先ず、躯体の前面に基板を重ねて差込部を躯体と建具用枠体の隙間に納め、この状態を保持しながら長孔から躯体に仮止め用釘を途中まで打ち込み、躯体に対して取付金具を長孔の範囲で移動や回動が可能となるよう仮止めした後、ねじ孔から建具用枠体に対してねじを傾斜状に臨ませ、このねじを斜めにねじ込んで前板部の先端と突出舌片を建具用枠体に押し付けることによって固定し、これによって躯体と建具用枠体の仮止めとなり、このような仮止め固定を躯体と建具用枠体の周囲隙間の複数箇所において行う。
【０００５】
次に、基板の長孔と仮止め用釘の部分での躯体に対する取付金具の移動性を利用して、躯体に対して建具用枠体の位置や角度の調整を行った後、基板の釘孔から躯体に本止用の釘を打ち込んで取付金具を躯体に本固定し、これにより、取付金具を介して躯体に対して建具用枠体を所定の配置で固定化するものである。
【先行技術文献】
【特許文献】
【０００６】
【特許文献１】登録実用新案第３１００７６０号公報
【特許文献２】特許第２６７１１９３号公報
【発明の概要】
【発明が解決しようとする課題】
【０００７】
ところで、上記特許文献１と２のような建具用枠体の取付金具は、躯体前面に仮止めする際、取付金具の躯体前面に重ねた状態の保持と、仮止め用釘を長孔から躯体に押し当てた状態の保持を同時に行い、長い仮止め用釘を途中まで打ち込む必要があり、片手で取付金具と仮止め用釘の両者を保持しながら行う釘の打ち込みは、普通の釘打ちに比べて作業がしにくいだけでなく、誤って金槌を手に打ち付ける怪我が発生する危険があり、また、釘打ち作業に手間がかかることと、このような釘打ち作業を複数箇所で行わなければならないことで、建具用枠体の取付作業の効率が悪いという問題がある。
【０００８】
また、仮止め用釘で躯体前面に仮止めした状態で取付金具は仮止め用釘を支点に回動自在となるため、取付金具の仮止め時の姿勢が安定せず、このため、ねじ孔から建具用枠体にねじを斜めにねじ込む際に、前板部の先端と突出舌片を建具用枠体に押し付けた状態に取付金具を姿勢保持して行わなければならず、取付金具を建具用枠体に固定するねじのねじ込み作業が行いにくいという問題がある。
【０００９】
更に、取付金具を躯体前面に仮止め用釘で最初に仮止めする構造では、仮止め後に取付金具の位置を変えたり少し調整したい場合、仮止め用釘を抜いて再度打ち込みを行わなければならないので、取付金具の位置の変更や調整に手間がかかることになる。
【００１０】
そこで、この発明は、上記のような先行技術の取付金具にあった問題点に鑑みてなされたものであり、躯体と建具用枠体間の隙間に対して釘を先打ちしないで仮止めが行えるようにし、仮止め用釘の打ち込み作業が簡単に行えることで、釘打ち作業の安全性と建具用枠体の取付作業の効率を向上させることができると共に、仮止め状態で位置の変更や調整が簡単に行え、更に、仮止め後の姿勢をそのまま保持できるので、建具用枠体に対して固定するためのねじのねじ込み作業も円滑に行える建具用枠体の取付金具を提供することを課題としている。
【課題を解決するための手段】
【００１１】
上記のような課題を解決するため、請求項１の発明は、建築物壁体の開口部を形成する周囲の躯体に、前記開口部内に納めた建具用枠体を固定するための建具用枠体の取付金具であって、前記躯体の前面に重ねる基板に、長孔と釘孔及び前記長孔の長さ方向に沿った一方端部側の位置にねじ締め付け工具を挿通するための開口部を形成し、前記基板の一方端部に、基板から連なって該基板の背面方向に折れ曲がり、前記躯体と建具用枠体間の隙間に対して挿入する仮止め用の差込部を設け、この差込部が、折れ曲がり角度の変化による拡張弾性で前記隙間に対する差込状態を弾力的に保持し、仮止め用釘を打ち込む前に、前記取付金具を仮止め状態にするための弾性仮止め板と、前記開口部から建具用枠体に向けてねじ込むねじのねじ孔を備えているようにしたものである。
【００１２】
請求項２の発明は、請求項１に記載の建具用枠体の取付金具において、上記差込部は、基板の一方端部から背面方向へ折れ曲がるように設けた折り曲げ片を具有し、上記弾性仮止め板は、前記折り曲げ片に設けた延長突部の先端部から連なって該延長突部の両側に位置し、その先端が延長突部から離反して基板の側へ接近する傾斜状となるように、基板と延長突部の内角側に向けて屈曲しているようにしたものである。
【００１３】
請求項３の発明は、請求項２に記載の建具用枠体の取付金具において、上記弾性仮止め板の先端に、延長突部側に向けて屈曲する爪片が設けられているようにしたものである。
【００１４】
請求項４の発明は、請求項２又は３に記載の建具用枠体の取付金具において、上記ねじ孔は、折り曲げ片と延長突部の根本側に跨って形成され、このねじ孔の周辺部で基板と反対側の位置に、前記ねじ孔から建具用枠体に向けて斜めにねじ込むねじの誘導片を傾斜状に設けたものである。
【００１５】
ここで、上記した取付金具は、ばね性のある一枚の金属板を用い、長方形となる基板の長さ方向に沿った一方端部に設けた差込部は、基板の背面側へ直角に折り曲げた短い折り曲げ片と、この折り曲げ片の先端から連なって延長状に突出する延長突部を備え、この差込部を躯体と建具用枠体間の隙間に対して差し込んだとき、前記折り曲げ片と延長突部の外側面が建具用枠体の外周面への当接面となり、この延長突部に対して傾斜状となる弾性仮止め板は、先端が躯体の内周面に圧接して押されることで折れ曲がり角度が変化し、弾性仮止め板が角度変化により元の角度に戻ろうとすることにより生じる拡張弾性力で、前記隙間に対する差込状態を弾力的に保持し、仮止め用釘を打ち込む前に、取付金具は基板が躯体の前面に重なる仮止め状態に保たれることになる。
【００１６】
上記仮止め用釘の打ち込み前に取付金具は仮止め状態になるので、取付金具は隙間の長さ方向に沿った位置調整や取付位置の変更が可能になり、また、躯体と建具用枠体間に形成される隙間が、延長突部と弾性仮止め板の先端との間隔寸法よりも広い場合、差込部は延長突部に対する弾性仮止め板の折れ曲がり角度を変え、隙間に対して圧入できる状態に調整することで対応することができる。
【発明の効果】
【００１７】
この発明によると、躯体と建具用枠体間の隙間に差込部を挿入すれば、弾性仮止め板の折れ曲がり角度の変化で生じる拡張弾性で、前記隙間に対する差込状態を弾力的に保持し、取付金具を基板が躯体の前面に重なる仮止め状態に固定することができ、長孔から躯体に打ち込む仮止め用釘の打ち込み時に取付金具を手で保持する必要がなく、仮止め用釘の打ち込み時に打ち込み作業に専念できるので怪我の発生を防ぐことができ、しかも、打ち込み作業が簡単になることで作業能率の向上を図ることができる。
【００１８】
また、仮止め状態を保持して姿勢の変動が生じないので、建具用枠体に対して固定するねじのねじ込み時に、取付金具を手で姿勢保持する必要がなくなり、ねじのねじ込み作業が専念できることで、作業能率と安全性の向上を図ることができる。
【００１９】
更に、取付金具を仮止め用釘の打ち込み前に、弾性仮止め板の拡張弾性で隙間に対して仮止めできるので、隙間に対する差込部の抜き差しや隙間の長さ方向に沿った移動が自由となり、取付金具の仮固定における位置変えや調整が簡単に行えることになる。
【００２０】
また、弾性仮止め板の折れ曲がり角度の変化で生じる拡張弾性で、取付金具を基板が躯体の前面に重なる仮止め状態が得られるので、躯体と建具用枠体間に生じる隙間のバラツキに対して弾性仮止め板の傾斜角度を調整することで対応できる。
【図面の簡単な説明】
【００２１】
【図１】この発明に係る取付金具の使用状態を示す正面図
【図２】この発明に係る取付金具の斜視図
【図３】この発明に係る取付金具の基板が垂直で差込部を水平にした状態の正面図
【図４】この発明に係る取付金具の基板を外面から見た左側面図
【図５】この発明に係る取付金具の右側面図
【図６】この発明に係る取付金具の平面図
【図７】取付金具の差込部を躯体と枠体の間の隙間に向けて押し込み、基板を躯体の前面に重ねた取付金具の仮止め状態を示す横断平面図
【図８】仮止め状態の取付金具において、基板に設けた長孔の部分から躯体に向けて仮止め用釘を少し打ち残しが生じるように打ち込んだ状態の横断平面図
【図９】仮止め状態の取付金具において、折り曲げ片と延長突部の根本にわたって設けたねじ孔から枠体に向けてねじを斜めにねじ込だ状態の横断平面図
【図１０】取付金具において、仮止め用釘を打ち込むと共に基板に設けた釘孔の部分から躯体に向けて本固定用の釘を打ち込んだ状態の横断平面図
【発明を実施するための形態】
【００２２】
以下、この発明の実施の形態を添付図面に基づいて説明する。
【００２３】
図１は、この発明に係る建具用枠体の取付金具１の使用例を示し、建築物壁体の開口部を形成する周囲の躯体ａに対して、前記開口部内に納めた建具用枠体ｂの複数箇所を固定するためのものであり、前記開口部は窓や出入り口であり、窓用開口部を形成する場合の躯体ａは、例えば、両側の柱ａ１やまぐさａ２及び窓台ａ３からなり、この躯体ａ内に固定する建具用枠体ｂは窓用化粧枠（以下単に枠体という）であり、前記枠体ｂ内に窓（サッシ）ｃを組み込むことになる。
【００２４】
図２乃至図６のように、この発明の取付金具１は、バネ性のある一枚の金属板を用いて形成され、上記躯体ａの前面に重ねる長方形の基板２と、この基板２の長さ方向に沿った一方端部の位置に設けられ、上記躯体ａと枠体ｂ間の隙間ｄに対して挿入する仮止め用の差込部３とで構成されている。
【００２５】
上記基板２は、長さ方向に沿う長孔４と、本固定用の釘を打ち込むための複数の釘孔５が設けられ、この基板２の長さ方向に沿った一方端部側で幅方向の中央位置にねじ締め付け工具を挿通するためのＵ字状のような開口部６が形成されている。
【００２６】
上記差込部３は、基板２の背面方向へ直角もしくは鋭角に折れ曲がる短い折り曲げ片７と、この折り曲げ片７の幅方向中央部から延長状に突出する延長突部８と、前記延長突部８の先端に連ねて設けられ、折れ曲がり角度の変化による拡張弾性で上記隙間ｄに対する差込状態を弾力的に保持する弾性仮止め板９と、前記折り曲げ片７と延長突部８の根本に跨って設けられ、枠体ｂに向けてねじ込むねじのねじ孔１０を備えている。
【００２７】
上記基板２の一方端部に設けた差込部３における短い折り曲げ片７は、基板２と同じような幅を有し、該基板２の耐折れ曲がり強度を向上させており、この折り曲げ片７の幅方向の中央位置から連なって延長状に突出する延長突部８は根本部分の幅が広く先端に向けて幅が狭くなる形状となり、上記弾性仮止め板９は、前記延長突部８の先端部から連なって該延長突部８を挟む両側に位置する二枚からなり、前記延長突部８の先端に幅方向の両側に設けた張り出し板１１から連なって、基板２と延長突部８の内角側に向けて所定の角度で傾斜状に突出するよう折れ曲がっている。
【００２８】
図示の場合、折り曲げ片７の先端と延長突部８の両側根本部分はアールを付けたコーナー１２となっており、これにより、折り曲げ片７と延長突部８間の耐折れ曲がり強度を向上させて基板２と延長突部８の角度を保持する強度を保ち、例えば、製造工程時や梱包、輸送時のように、多数の取付金具１を集合させたり、この集合状態で外的な振動を加えて互いに衝撃させたような場合でも、基板２と延長突部８の角度変化の発生を防ぐことができるようにしている。
【００２９】
上記弾性仮止め板９は、先端が延長突部８に対して離反すると共に基板２の背面側に向けて接近するよう傾斜し、延長突部８に対して所定の折れ曲がり角度を有し、この折れ曲がり角度が変化するように押されると、金属板の持つバネ性により、張り出し板１１と連なる屈曲根本部分や延長突部８の先端と張り出し板１１の境界部分を支点として元の角度に戻ろうとする拡張弾性力が生じることになる。
【００３０】
なお、弾性仮止め板９は、その傾斜角度を、張り出し板１１と連なる屈曲根本部分や延長突部８の先端と張り出し板１１の境界部分で折り曲げるようにすることで、上記躯体ａと枠体ｂ間の隙間ｄのバラツキに対応して調整することができるものであり、図示の場合、前記弾性仮止め板８の先端部に、延長突部８に向けて接近する方向への折れ曲がり角度を持つ爪片１３を設けた例を示している。
【００３１】
この爪片１３は、躯体ａと枠体ｂ間の隙間ｄに差込部３を差し込んだとき、弾性仮止め板８の先端が躯体ａの内周面に対して抜け方向に食い込むのを防ぎ、前記隙間ａに対して差込部３の引き抜きを可能にすることで、隙間ａに対する取付金具１の取付位置の変更ができるようにしている。
【００３２】
上記折り曲げ片７と延長突部８の根本部分に設けたねじ孔１０には、その周囲で基板２と反対側の位置に、ねじを斜めに誘導するための誘導片１４が内面側に向けて傾斜状に突設されている。
【００３３】
また、上記基板２には、図４のように、差込部３側の一方端部で開口部６を挟む両側の位置に、長さ方向に沿って長い補強リブ１５が設けてあり、更に、この基板２の外側表面で長孔４の長さ方向に沿う側縁の位置に、枠体ｂの位置を読み取るための目盛り１６を前記側縁に沿って施し、躯体ａに対する枠体ｂの位置や角度の調整作業の簡略化と能率向上を図ることができるようにしている。
【００３４】
上記補強リブ１５は、基板２の開口部６を設けた部分の耐折れ曲がり強度を向上させ、例えば、仮止め用釘の打込みよりも先にねじ孔１０から枠体ｂにねじを斜めにねじ込まれたような場合に、基板２が引き込まれて曲がるのを防止し、仮止め用釘の打ち込み後における取付金具１の長孔４に沿った位置調整が、基板２の曲がり発生によって困難になるのを防ぐと共に、枠体ｂを固定した後における取付金具１の形状の見た目を向上させ、固定状態の安心感を与えることができることになる。
【００３５】
更に、張り出し板１１とこの張り出し板１１と連なる両側弾性仮止め板９の屈曲根本部分に、内角側に突出するようなリブ１７が設けてあり、張り出し板１１と弾性仮止め板９の折れ曲がるコーナー部分の剛性を高めることにより、躯体ａと枠体ｂの隙間ｄにバラツキがあるときや、隙間ｄに対する取付金具１の再取付のときのように、弾性仮止め板９の角度を調整する必要がある場合に、片側の弾性仮止め板９に力を加えるだけで、延長突部８の先端と張り出し板１１の境界部分から、両側弾性仮止め板９の傾斜角度を同時に調整することができるという利点がある。
【００３６】
なお、この発明の取付金具１に設ける差込部３の形状は図示に限定されるものではなく、躯体ａと枠体ｂ間の隙間に差し込むことによりの金属板のバネ性を利用して拡張弾性力が生じるものであればよく、例えば、基板の一方端部に直接弾性仮止め板を折り返し状に設け、躯体ａと枠体ｂ間の隙間に差し込むことにより、基板との折れ曲がり角度によって拡張弾性が生じるような構造を採用することができる。
【００３７】
この発明の取付金具は上記のような構成であり、次に、その使用方法を説明する。
【００３８】
図１のように、建築物壁体の開口部を形成する躯体ａ内に枠体ｂを納め、この躯体ａ内周と枠体ｂの外周面の間に生じる周囲の隙間ｄの間隔がそれぞれ近似するように枠体ｂを保持した状態で、隙間ｄに取付金具１を臨ませ、その差込部３を隙間ｄに差し込んで前記取付金具１を仮固定し、このようにして四周囲の各辺の隙間ｄに対してそれぞれ複数箇所に取付金具１を取付け、枠体ｂを仮止め状態に保持する。
【００３９】
上記取付金具１は、基板２が躯体ａの前面に対向する状態でその差込部３を躯体ａと枠体ｂの間に生じた隙間ｄの前面開口に臨ませ、図７のように、この差込部３を隙間ｄ内に向けて押し込むと、折り曲げ片７と延長突部８及び張り出し板１１の外面が枠体ｂの外周面に当接した状態で、弾性仮止め板９は先端が躯体ａの内周面に圧接し、この内周面で延長突部８に接近するよう押されることになり、これにより、延長突部８に対する弾性仮止め板９の傾斜角度が変化することで、弾性仮止め板９に元の角度位置に戻ろうとする拡張弾性力が発生し、延長突部８と弾性仮止め板９が躯体ａと枠体ｂ間への差し込み状態を弾力的に保持することにより、差込部３は隙間ｄに対して弾力的な仮固定状態となり、このようにして躯体ａと枠体ｂ間に取り付けられた各取付金具１を、基板２が躯体ａの前面に重なるまで差込部３を押し込むようにすると、躯体ａに対して枠体ｂが仮止め状態に保持されることになる。
【００４０】
なお、躯体ａと枠体ｂ間に取り付けた各取付金具１は、弾性仮止め板９による拡張弾性力により隙間ｄに対して弾力的に仮固定状態となっているので、拡張弾性力に抗する力を加えることで隙間ｄの長さ方向に沿って移動させることが可能であり、隙間ｄへの押し込んだ仮固定後においても取付位置の調整が容易に行えることになる。
【００４１】
また、弾性仮止め板９は、その先端が延長突部８の側に向けて折り返した爪片１３になっているので、差込部３を隙間ｄから引き抜く方向へ引いた場合に躯体ａに対する先端の食い込み発生が無く、従って、上記拡張弾性力に抗する力で取付金具１を手前に引けば、隙間ｄから簡単に取り外すことが可能になり、隙間ｄへの押し込み取付後においても取付位置の変更が支障なく行えることになる。
【００４２】
更に、躯体ａと枠体ｂ間に差込部３を差し込む場合、延長突部８に対して弾性仮止め板９が所定の角度、例えば、４０°〜５０°程度に折り曲げられ、延長突部８と弾性仮止め板９の先端間の間隔寸法が例えば１５ｍｍ程度に設定されているが、現場によっては躯体ａと枠体ｂ間に形成された隙間ｄにバラツキがあり、前記隙間ｄが前記間隔寸法よりも広い場合、延長突部８に対する弾性仮止め板９の折り曲げ角度を大きくなるように修正することで対応することができる。
【００４３】
上記のようにして隙間ｄに取り付けた取付金具１は、図８と図９のように、基板２に設けた長孔４の部分から躯体ａに向けて仮止め用釘１８を少し打ち残しが生じるように打ち込み、躯体ａに対する取付金具１の位置を決定し、次に、折り曲げ片７と延長突部８の根本にわたって設けたねじ孔１０から枠体ｂに向けてねじ１９を斜めにねじ込む。
【００４４】
上記仮止め用釘１８の打ち込み時において、取付金具１が躯体ａの前面に予め仮固定された状態になっているので、この取付金具１の手による保持が不要になり、仮止め用釘１８の打ち込みのみに専念できるので、釘打ち時の怪我の発生を少なくして安全性を向上させるだけでなく、枠体ｂの複数箇所の位置を取付金具１によって仮固定する必要があるので、仮固定のための釘打ち作業の能率を向上させることができる。
【００４５】
更に、取付金具１は、躯体ａと枠体ｂの隙間ｄに差し込んだ差込部３の拡張弾性力で枠体ｂを保持することができ、このように、取付金具１を躯体ａや枠体ｂに対して固定や取り付ける釘の打ち込み前に枠体ｂを保持できると、躯体ａ内に納めた枠体ｂを最初に位置決め調整することが可能となり、枠体ｂの位置調整作業が容易になる。
【００４６】
また、取付金具１を枠体ｂに固定するねじ１９のねじ込みは、基板２に設けた開口部６からねじ孔１０に向けてねじ１９を斜めにして枠体ｂに押し当て、ねじ込み工具でねじ１９を枠体ｂに向けてねじ込むものであるが、ねじ孔１０は折り曲げ片７と延長突部８の根本にわたって設けられ、基板２の開口部６と近接した配置になっているので、ねじ孔１０が見やすいだけでなく、ねじ孔１０の周囲で基板２と離れた位置に誘導片１４が傾斜状に設けてあるので、ねじ１９を斜めに押し当ててねじ込む場合の傾斜角度を誘導片１４で規定して誘導することができ、ねじ１９のねじ込み作業が能率良く行えることになる。
【００４７】
上記のように、取付金具１をねじ１９で枠体ｂに固定した後、枠体ｂの水平垂直の調整を行うものであり、取付金具１は仮止め用釘１８が貫通する長孔４により、躯体ａに対して前記長孔４の長さ方向への移動と仮止め用釘１８を支点とする回動が可能になるので、枠体ｂの水平垂直の調整が支障なく行えることになり、枠体ｂの水平垂直の調整後は、図１０のように、仮止め用釘１８を完全に打ち込むと共に、基板２の各釘孔５から躯体ａに本固定用の釘２０を打ち込み、基板２を躯体ａに固定することにより、この取付金具１を介して躯体ａに枠体ｂを固定化すれば枠体ａの固定作業が終了し、躯体ａの前面に内装材２１を張設すれば作業が完了する。
【符号の説明】
【００４８】
１    取付金具
２    基板
３    差込部
４    長孔
５    釘孔
６    開口部
７    折り曲げ片
８    延長突部
９    弾性仮止め板
１０  ねじ孔
１１  張り出し板
１２  コーナー
１３  爪片
１４  誘導片
１５  補強リブ
１６  目盛り
１７  リブ
１８  仮止め用釘
１９  ねじ
２０  本固定用の釘
２１  内装材
ａ    躯体
ｂ    建具用枠体
ｃ    窓
ｄ    隙間
【要約】
【課題】釘打ち作業の安全性と作業の効率を向上させることができ、また、建具用枠体に対して固定するためのねじのねじ込み作業が円滑に行える建具用枠体の取付金具を提供する。
【解決手段】建築物壁体の開口部を形成する躯体ａの前面に重ねる基板２に、長孔４と釘孔５及び前記長孔４の長さ方向に沿った一方端部側の位置にねじ締め付け工具を挿通するための開口部６を設け、前記基板２の一方端部に、基板２から連なって該基板２の背面方向に折れ曲がり、前記躯体ａと建具用枠体ｂ間の隙間ｄに対して挿入する仮止め用の差込部３を設け、この差込部３が、折れ曲がり角度の変化による拡張弾性で前記隙間ｄに対する差込状態を弾力的に保持する弾性仮止め板９と、前記開口部６から建具用枠体ｂに向けて斜めにねじ込むねじ１９のねじ孔１０を備えている。
【選択図】図２【図１】
0005785652.tif 000002
【図２】
0005785652.tif 000003
【図３】
0005785652.tif 000004
【図４】
0005785652.tif 000005
【図５】
0005785652.tif 000006
【図６】
0005785652.tif 000007
【図７】
0005785652.tif 000008
【図８】
0005785652.tif 000009
【図９】
0005785652.tif 000010
【図１０】
0005785652.tif 000011